(57)【要約】      （修正有）【課題】紐状体の両端部を容易且つ確実に固定及び分離することができ、タグの取付時や物品の結束時の作業性を向上できる締結器具、及びタグを提供する。【解決手段】締結器具１０を本体１及びカバー２で構成し、タグ２０を締結器具１０及び紐状体３で構成した。本体１の中空部１４は、拡幅部１６を有するスリット１５を介して外部に開放している。紐状体の両端部に形成された拡径部３１及び３２は、拡幅部１６のみを経由して中空部１４に挿脱される。紐状体における拡径部以外の部分は、スリット１５を通過する。拡径部を中空部内に収納させた状態で本体１をカバー２に嵌入させると、拡幅部１６がカバーによって閉塞され、中空部における拡径部の収納状態が維持される。【選択図】図１
0003215673.tif 000002
【実用新案登録請求の範囲】
【請求項１】
中空体形状を呈し、長手方向の第１の端面から主面を経由して長手方向の第２の端面に至る間で中空部を開放するスリットであって主面における長手方向の中央部に拡幅部を有するスリットを有する本体と、
長手方向の両端面が開放した可撓性の筒状部であって前記本体が嵌入する筒状部を有するカバーと、
を備えた締結器具。
【請求項２】
前記本体は、長手方向に沿って湾曲している請求項１に記載の締結器具。
【請求項３】
前記筒状部の内径は、前記本体の長手方向に直交する横断面の外接円よりも小径で、かつ前記横断面の外周長よりも長い内周となる径である請求項１又は２に記載の締結器具。
【請求項４】
前記カバーは、前記筒状部の外表面の少なくとも一部又は前記筒状部の外表面に連続する部分に表記部を有する請求項１乃至３の何れかに記載の締結器具。
【請求項５】
前記カバーは、前記筒状部の外表面の少なくとも一部及び前記筒状部の外表面に連続する部分に表記部を有する請求項１乃至３の何れかに記載の締結器具。
【請求項６】
前記表記部に識別情報を印字した請求項４又は５に記載の締結器具。
【請求項７】
前記表記部に識別情報を記録した記録媒体を搭載した請求項４又は５に記載の締結器具。
【請求項８】
請求項４乃至７の何れかに記載の締結器具と、
前記スリットの幅に略等しい径で、両端部に前記拡幅部の幅に略一致する幅の拡径部を有する紐状体と、
を備えたタグ。
【請求項９】
前記紐状体は、長手方向に伸縮する紐状弾性体である請求項８に記載のタグ。
【考案の詳細な説明】
【技術分野】
【０００１】
この考案は、紐状体の両端部の固定に使用される締結器具、及びこの締結器具と紐状体とを介して種々の物品に装着されるタグに関する。
【背景技術】
【０００２】
タグは、物品の所有者や性状等を表す情報を明示する目的で、種々の物品に取り付けられる。タグには、紐状体が貫通する孔部を備え、孔部を貫通させた紐状体を介して物品に取り付けるものがある。例えば、孔部を貫通した紐状体を靴の後部に設けられている環状の引手に通して、名前の表記されたタグを取り付けることで、靴の所有者を容易に見分けることができる。
【０００３】
紐状体を介して物品に取り付けられるタグは、この他にも、ケース内の収納物を明示する目的で収納ケースの把手部に取り付けて使用される場合や、線状又は環状を呈する単一物品又は複数の同一物品の結束に使用される場合等がある。
【０００４】
出願人は、先に、中空部を有する樹脂成形体と、中空部に通された紐状弾性体と、を含み、樹脂成形体の外表面に印字部を有するタグを提案した（特許文献１参照。）。
【先行技術文献】
【特許文献】
【０００５】
【特許文献１】実登第３１５４８６１号公報
【考案の概要】
【考案が解決しようとする課題】
【０００６】
しかし、特許文献１に記載されたタグでは、物品に取り付ける際に、樹脂成形体の中空部を貫通した紐状弾性体の両端部を結び付ける必要がある。タグを物品に確実に取り付けるためには、紐状弾性体の結び目を樹脂成形体によって被覆できるとしても、その結び目が容易に解けないように紐状弾性体の両端部を堅牢に結び付けなければならず、取付作業が煩雑化する。また、タグを物品から取り外す際には、紐状弾性体の結び目を解く必要があり、物品に対するタグの着脱の頻度が高い使用状況下では、作業性が著しく低下する。
【０００７】
この考案の目的は、紐状体の両端部を容易且つ確実に固定及び分離することができ、タグの取付時や物品の結束時の作業性を向上できる締結器具、及びこの締結器具を備えたタグを提供することにある。
【課題を解決するための手段】
【０００８】
この考案の締結器具は、本体とカバーとを備える。本体は、中空体形状を呈し、長手方向の第１の端面から主面を経由して長手方向の第２の端面に至る間で中空部を開放するスリットであって主面における長手方向の中央部に拡幅部を有するスリットを備える。カバーは、長手方向の両端面が開放した可撓性の筒状部であって本体が嵌入する筒状部を備える。
【０００９】
この考案の締結器具が使用される紐状体の径をスリットの幅に略一致させるとともに、紐状体の両端部に拡幅部の幅に略一致する幅の拡径部を形成する。カバーを貫通した紐状体の両端部の拡径部を拡幅部から本体の中空部に挿入し、紐状体の拡径部に連続する部分をスリットの主面側から本体の中空部に挿入した後、本体をカバーの筒状部に嵌入させる。紐状体の拡径部は、スリットにおける拡幅部以外の部分を通過できない。本体が全周にわたってカバーによって被覆されることで本体の拡幅部が外部に露出せず、紐状体の拡径部が本体の中空部に収納された状態が維持され、紐状体の両端部が確実に固定される。カバーの筒状部から本体を取り出して本体の拡幅部を外部に露出させ、紐状体の両端部の拡径部を本体の拡幅部を通過して中空部から離脱させると、紐状体の両端部が容易に分離する。
【００１０】
本体は、長手方向に沿って湾曲していることが好ましい。本体の表面が筒状部の内周面に確実に接触し、筒状部内における移動を規制でき、カバーによる本体の被覆状態を確実に維持できる。
【００１１】
カバーの筒状部の内径は、本体の長手方向に直交する横断面の外接円よりも小径で、かつ横断面の外周長よりも長い内周となる径にすべきである。本体の表面を筒状部の内周面により広い範囲で接触させて、本体の筒状部内における移動をより確実に規制でき、カバーによる本体の被覆状態をより確実に維持できる。
【００１２】
カバーは、筒状部の外表面の少なくとも一部、筒状部の外表面に連続する部分、又はこれらの両方に表記部を有することが好ましい。カバーをタグとして使用することができる。この表記部には、識別情報を印字することもできる。また、表記部に識別情報を記録した記録媒体を搭載することもできる。カバーを種々の情報を明示するタグとして使用することができる。
【００１３】
この考案のタグは、上記の締結器具において、カバーの筒状部の外表面の少なくとも一部、筒状部の外表面に連続する部分、又はこれらの両方に表記部を有し、さらに紐状体を備えている。紐状体は、本体のスリットの幅と略等しい径で、両端部に拡幅部の幅に略一致する幅の拡径部を有する。
【００１４】
カバーの筒状部を貫通した紐状体の第１の端部側の拡径部を本体の拡幅部を経由して中空部に挿入した状態で、紐状体の第２の端部をタグが取り付けられる物品の環状部分に通過させた後、本体の拡幅部を経由して中空部に挿入し、本体を筒状部に嵌入させる。表記部に情報が明示されたカバーをタグとして着脱自在に物品に取り付けることができる。
【００１５】
紐状体は、長手方向に伸縮する紐状弾性体であることが好ましい。物品にタグを着脱する際に紐状体を長手方向に伸張させることで物品と本体との間に十分な空間を形成して拡径部を本体の拡幅部に通過させる作業及び本体をカバーに嵌入させる作業を容易にでき、物品に取り付けた状態では紐状体が弾性力によって元の長さに収縮してカバーと物品との離間距離を短くすることができる。また、タグを物品に取り付けた状態で紐状体が伸張しているように紐状体の長さを調整することで、物品にタグを堅牢に取り付けることができ、複数物品の結束状態を堅牢にすることができる。
【考案の効果】
【００１６】
この考案によれば、紐状体の両端部を容易且つ確実に固定及び分離することができ、タグの取付時や物品の結束時の作業性を向上できる。
【図面の簡単な説明】
【００１７】
【図１】この考案の第１の実施形態に係る締結器具を備えたタグの外観図である。
【図２】（Ａ）及び（Ｂ）は、この考案の第２及び第３の実施形態に係る締結器具を構成するカバーの外観図である。
【図３】（Ａ）〜（Ｄ）は、同第１の実施形態に係る締結器具の本体の上面図、正面図、左側面図及び底面図である。
【図４】（Ａ）〜（Ｃ）は、図３（Ａ）及び（Ｂ）におけるＸ−Ｘ部、Ｙ−Ｙ部及びＺ−Ｚ部の矢視断面図である。
【図５】（Ａ）〜（Ｅ）は、同第１の実施形態に係る締結器具の使用状態の一例を示す図である。
【図６】（Ａ）〜（Ｄ）は、同タグの使用状態の一例を示す図である。
【考案を実施するための最良の形態】
【００１８】
以下に、この考案の実施形態に係る締結器具を備えたタグについて図面を参照しつつ説明する。
【００１９】
図１に示すように、この考案の実施形態に係るタグ２０は、この考案の第１の実施形態に係る締結器具１０と、紐状体３と、を備えている。締結器具１０は、本体１及びカバー２からなる。
【００２０】
カバー２は、一例として樹脂チューブを所定の長さに切断して形成されており、長手方向の両端面が開放した可撓性の筒状体である。カバー２の外表面は、全面にわたって例えば油性インク等によって文字や記号等を記載することができる。したがって、この実施形態では、カバー２の全体がこの考案の筒状部に相当し、カバー２の外表面の全面がこの考案の表記部に相当する。
【００２１】
この考案の第２及び第３の実施形態に係る締結器具を構成するカバー２Ａ及び２Ｂとして、図２（Ａ）に示すように外表面の一部に表記部２２を形成したものとすることもでき、図２（Ｂ）に示すように筒状部２１と延出部２３とを一体的に備え、延出部２３の表面に表記部２２を形成したものとすることもできる。図２（Ｂ）に示すカバー２Ｂにおいて、延出部２３は、矩形に限るものではなく任意の形状とすることができ、単色又は多色で着色することもできる。また、延出部２３から筒状部２１の外表面の一部又は全面に連続して表記部２２を形成することもできる。
【００２２】
表記部２２には、識別情報に対応したバーコード等を印字することができ、識別情報を記録したＩＣチップ等の記録媒体を搭載することもできる。識別情報は、タグ２０が使用される物品の所有者や性状等を示すものとすることができる。
【００２３】
紐状体３は、一例としてゴム紐であり、長手方向に伸縮する紐状弾性体であるが、これに限るものではなく、長手方向に伸縮しない紐状体を用いることもできる。紐状体３の両端部には、結び目を形成することで拡径部３１及び３２が形成されている。紐状体３は、素材を問わず、布製、ゴム製又は金属製等の何れでもよい。また、拡径部３１及び３２は、必ずしも結び目で形成する必要はなく、紐状体３の外径よりも大径の金属製又は樹脂製の球体等を固定することでも形成できる。
【００２４】
図１、図３及び図４に示すように、本体１は、一例として樹脂成形によって一体成形された中空体であり、全ての角部は丸められており、上面１１側に凸となるように湾曲している。上面１１は、この考案の主面に相当する。
【００２５】
本体１は、可撓性を有するカバー２の筒状部２１内に嵌入して保持される。このため、カバー２の筒状部２１の内径は、本体１の長手方向に直交する横断面の外接円よりも小径で、かつ横断面の外周長よりも長い内周となる径にされている。また、カバー２は、本体１よりも長くされている。
【００２６】
本体１の長手方向の第１の端面１２から上面１１を経由して長手方向の第２の端面１３に至る間には、中空部１４を外部に開放するスリット１５が形成されている。スリット１５は、上面１１における長手方向の中央部に拡幅部１６を有している。また、スリット１５は、端面１２及び１３における下端部に円形の孔部１７を有している。
【００２７】
中空部１４は、拡幅部１６の直下に位置する挿通部１４Ａにおいて拡幅部１６と同一の幅にされており、左右の収納部１４Ｂ及び１４Ｃにおいて拡幅部１６よりも僅かに広い幅にされている。挿通部１４Ａは、拡幅部１６によって上面の全面が上方に開放している。収納部１４Ｂ及び１４Ｃは、スリット１５によって上面の一部が上方に開放し、スリット１５及び孔部１７によって端面１２及び１３側の側面の一部が側方に開放し、抜き孔１８によって底面の一部が下方に開放している。抜き孔１８は、樹脂成形における金型の設計上設けられているものであり、締結器具１０の機能上設けられているものではない。
【００２８】
スリット１５の幅は、紐状体３の拡径部３１及び３２以外の部分が弾性変形によってスリット１５を通過できるように定められており、一例として紐状体３の外径よりも僅かに狭くされている。拡幅部１６の幅は、拡径部３１及び３２が弾性変形によって拡幅部１６を通過できるように定められており、一例として拡径部３１及び３２の外径よりも僅かに狭くされている。孔部１７の内径は、紐状体３の拡径部３１及び３２以外の部分が容易に通過でき、拡径部３１及び３２が通過できないように定められている。
【００２９】
紐状体３の半径方向の伸縮を考慮しない場合、スリット１５の幅は紐状体３の拡径部３１及び３２以外の部分の外径と略等しく、拡幅部１６の幅は拡径部３１及び３２の外径に略等しい。
【００３０】
拡幅部１６は、本体１の長手方向について、拡径部３１及び３２の一方が通過できる長さであればよく、拡径部３１及び３２の両方が同時に通過できる長さである必要はない。拡径部３１及び３２は、本体１の拡幅部１６のみを経由して中空部１４に挿入され、拡幅部１６のみを経由して中空部１４から外部に露出する。
【００３１】
締結器具１０を使用する際には、紐状体３をカバー２に通過させた状態で、図５（Ａ）及び（Ｂ）に示すように、紐状体３の拡径部３１を本体１の拡幅部１６から挿通部１４Ａに挿入しつつ、紐状体３の拡径部３１に連続する部分をスリット１５から収納部１４Ｂに挿入して一部を孔部１７に位置させる。この後、図５（Ｃ）に示すように、紐状体３を本体１から離間する方向に移動させると、拡径部３１が収納部１４Ｂに収納される。さらに、図５（Ｄ）に示すように、紐状体３の拡径部３２も同様に収納部１４Ｃに収納し、図５（Ｅ）に示すように、本体１をカバー２内に嵌入させる。
【００３２】
カバー２内に本体１を嵌入すると、本体１の外表面が広い範囲にわたってカバー２の内周面に接触し、カバー２が可撓性を有すること及び本体１が長手方向に湾曲していることと相まって、本体１がカバー２内に確実に保持される。拡幅部１６がカバー２によって閉塞され、拡径部３１及び３２が本体１の外部に露出することがなく、紐状体３の締結状態が維持される。
【００３３】
本体１の外表面とカバー２の内周面との接触範囲を広くして、本体１のカバー２内における移動を規制し、カバー２による本体１の被覆状態を確実に維持するためには、カバー２の内径は、本体１の長手方向に直交する横断面の外接円よりも小径で、かつ横断面の外周長よりも長い内周となる径にすべきである。この範囲内で、カバー２の内径を大きくするとカバー２に対する本体１の着脱が容易になり、カバー２の内径を小さくするとカバー２による本体１の保持が確実になる。締結器具１０の使用状況に応じて、紐状体３の締結及び解除の頻度が高い場合にはカバー２の内径を大きくし、紐状体３の締結を堅牢に維持すべき場合にはカバー２の内径を小さくすることができる。
【００３４】
一例として、タグ２０を靴１００に使用する場合、図６（Ａ）に示すように、本体１の中空部１４に拡径部３１を挿入した紐状体３にカバー２を外嵌させておき、本体１と紐状体３の一部を靴１００の後部の引手１０１に通過させる。次いで、図６（Ｂ）及び（Ｃ）に示すように、紐状体３を湾曲させて拡径部３２を本体１の中空部１４に挿入する。この後、図６（Ｄ）に示すように、カバー２を本体１に被覆する。
【００３５】
タグ２０を靴１００に取り付ける際に、極めて簡単に取付作業を行うことができる。カバー２の外表面に名前を記載しておくことで、靴１００の所有者を容易に特定できる。本体１が湾曲しているため、カバー２の湾曲部分に手指を引っ掛け易く、例えば靴箱に収納された状態の靴１００を容易に取り出すことができる。紐状体３をゴム紐等の柔軟性素材で構成することにより、タグ２０が歩行や運動の障害となることがない。
【００３６】
なお、上記の実施形態は何れも一例であり、この考案はこれらに限定されるものではなく、この考案の範囲内で種々の変更を加えることが可能である。
【符号の説明】
【００３７】
１−本体
２−カバー
３−紐状体
１０−締結器具
１１−上面（主面）
１２，１３−端面
１４−中空部
１５−スリット
１６−拡幅部
２１−筒状部
２２−表記部
３１，３２−拡径部
【図１】
0003215673.tif 000003
【図２】
0003215673.tif 000004
【図３】
0003215673.tif 000005
【図４】
0003215673.tif 000006
【図５】
0003215673.tif 000007
【図６】
0003215673.tif 000008